(57)【要約】【課題】訪問先の周辺の駐車できる可能性が高い駐車場を、容易に検索することが可能な駐車場検索装置を提供する。【解決手段】入力受付部（入力受付手段）が、訪問先と、訪問先の周辺駐車場に係る情報と、駐車実績に係る情報との入力を受け付けて、情報取得部（取得手段）が、訪問先を訪問した年月日と、保守員の現在位置と、現在時刻とを取得する。情報蓄積部（蓄積手段）は、複数の保守員について、少なくとも、各保守員の訪問先と、訪問時に駐車した又は駐車を試みた訪問先の周辺駐車場に係る情報と、駐車実績に係る情報とを関連付けて蓄積する。そして、到着時刻予測部（予測手段）が、訪問先の位置と、保守員の現在位置と、現在時刻と、保守員の移動手段とから、訪問先への到着予想時刻を予測して、駐車場検索部（検索手段）が、情報蓄積部が蓄積した情報の中から、到着予想時刻と略等しい時刻における、駐車実績のある訪問先の周辺駐車場を検索する。【選択図】図５
2020085672.tif 000002
【特許請求の範囲】
【請求項１】
複数の訪問者について、少なくとも、各訪問者の訪問先と、訪問時に駐車した又は駐車を試みた前記訪問先の周辺駐車場に係る情報と、駐車実績に係る情報とを関連付けて蓄積する蓄積手段と、
前記訪問先と、前記訪問先の周辺駐車場に係る情報と、駐車実績に係る情報との入力を受け付ける入力受付手段と、
前記訪問先を訪問した年月日と、前記訪問者の現在位置と、現在時刻とを取得する取得手段と、
前記訪問先の位置と、前記訪問者の現在位置と、前記現在時刻と、前記訪問者の移動手段とから、前記訪問先への到着予想時刻を予測する予測手段と、
前記蓄積手段が蓄積した情報の中から、前記到着予想時刻と略等しい時刻における、駐車実績のある前記訪問先の周辺駐車場を検索する検索手段と、
を備える駐車場検索装置。
【請求項２】
前記蓄積手段は、
前記訪問先の周辺駐車場に係る情報として、少なくとも、前記訪問先への訪問時に、駐車した又は駐車を試みた周辺駐車場の位置を蓄積して、
前記駐車実績に係る情報として、少なくとも、前記訪問先を訪問した年月日と、前記周辺駐車場への駐車可否と、駐車可否の確認時刻又は入庫時刻とを蓄積する、
請求項１に記載の駐車場検索装置。
【請求項３】
前記入力受付手段は、
前記周辺駐車場に係る情報及び駐車実績に係る情報として、少なくとも、
当該周辺駐車場を特定する情報と、
前記周辺駐車場への駐車可否を示す情報と、の入力を受け付ける、
請求項１または請求項２に記載の駐車場検索装置。
【請求項４】
前記検索手段は、付帯条件を付与して、前記周辺駐車場を検索する、
請求項１から請求項３のいずれか１項に記載の駐車場検索装置。
【請求項５】
前記付帯条件は、前記訪問先から前記周辺駐車場までの距離が最も近いことである、
請求項４に記載の駐車場検索装置。
【請求項６】
前記付帯条件は、前記周辺駐車場が屋根を有することである、
請求項４に記載の駐車場検索装置。
【発明の詳細な説明】
【技術分野】
【０００１】
本発明の実施形態は、駐車場検索装置に関する。
【背景技術】
【０００２】
従来、目的地周辺の駐車場を検索する際に、過去に当該目的地周辺の駐車場を利用した際の駐車行動に基づいて、駐車場検索を行う例が知られている（例えば、特許文献１）。
【０００３】
しかしながら、このような従来例にあっては、駐車場検索に利用するのは、運転者本人の過去の駐車行動の履歴のみであるため、初めて訪れる目的地やめったに訪れない目的地では、適切な駐車場検索が行いにくいという課題があった。
【発明の概要】
【発明が解決しようとする課題】
【０００４】
本発明が解決しようとする課題は、訪問先の周辺の駐車できる可能性が高い駐車場を、容易に検索することが可能な駐車場検索装置を提供することである。
【課題を解決するための手段】
【０００５】
実施形態の駐車場検索装置は、蓄積手段と、入力受付手段と、取得手段と、予測手段と、検索手段とを備える。蓄積手段は、複数の訪問者について、少なくとも、各訪問者の訪問先と、訪問時に駐車した又は駐車を試みた訪問先の周辺駐車場に係る情報と、駐車実績に係る情報とを関連付けて蓄積する。入力受付手段は、訪問先と、訪問先の周辺駐車場に係る情報と、駐車実績に係る情報との入力を受け付ける。取得手段は、訪問先を訪問した年月日と、訪問者の現在位置と、現在時刻とを取得する。予測手段は、訪問先の位置と、訪問者の現在位置と、現在時刻と、訪問者の移動手段とから、訪問先への到着予想時刻を予測する。検索手段は、蓄積手段が蓄積した情報の中から、到着予想時刻と略等しい時刻における、駐車実績のある訪問先の周辺駐車場を検索する。
【図面の簡単な説明】
【０００６】
【図１】図１は、訪問先の周辺駐車場について説明する図である。
【図２】図２は、駐車場検索システムのシステム構成の一例を示すシステム構成図である。
【図３】図３は、サーバ装置のハードウェア構成の一例を示すハードウェアブロック図である。
【図４】図４は、携帯端末のハードウェア構成の一例を示すハードウェアブロック図である。
【図５】図５は、サーバ装置の機能構成の一例を示す機能ブロック図である。
【図６】図６は、携帯端末の機能構成の一例を示す機能ブロック図である。
【図７】図７は、駐車ログファイルの一例を示す図である。
【図８】図８は、駐車履歴ファイルの一例を示す図である。
【図９】図９は、駐車場検索システムが行う一連の処理のうち、出発前に目標とする周辺駐車場を設定するまでの処理の流れの一例を示すフローチャートである。
【図１０】図１０は、駐車場検索システムが行う一連の処理のうち、目標とした周辺駐車場に到着した際に行う処理の流れの一例を示すフローチャートである。
【図１１】図１１は、検索処理の流れの一例を示すフローチャートである。
【図１２】図１２は、付帯条件が設定された場合の検索処理の流れの一例を示すフローチャートである。
【発明を実施するための形態】
【０００７】
（周辺駐車場の説明）
まず、本実施形態で説明する駐車場検索システム１において、検索対象となる、訪問先の周辺駐車場について、図１を用いて説明する。図１は、周辺駐車場について説明する図である。駐車場検索システム１は、例えば、保守員が店舗Ａに出向いて、店舗Ａに備え付けられたＰＯＳ端末などの設備の保守管理を行う際に、店舗Ａの周辺で車両を駐車する周辺駐車場Ｑを検索するために使用するシステムである。なお、店舗Ａは訪問先の一例である。また、保守員は訪問者の一例である。
【０００８】
図１に示すように、一般に、店舗Ａには、店舗専用の店舗駐車場Ａ１（専用駐車場）が並設されている。そして、車両で店舗Ａを訪れた客は、店舗駐車場Ａ１に車両を駐車する。一般に、店舗駐車場Ａ１は、客専用の駐車場とされることが多い。そのため、設備保守のために車両で店舗Ａを訪れた保守員は、車を店舗Ａの周辺に存在する周辺駐車場に駐車する必要がある。
【０００９】
店舗Ａの周辺駐車場は、一般に、店舗Ａの客が占有できる駐車場ではなく、店舗Ａ以外の施設を訪れた客も使用可能である。このような駐車場は、一般駐車場と呼ばれる。なお、以下の説明では、一般駐車場を周辺駐車場と呼ぶ。
【００１０】
なお、店舗Ａの近隣には、複数の周辺駐車場が存在しているものとする。図１の例では、店舗Ａの近隣に、周辺駐車場Ｑ（Ｑ１，Ｑ２，Ｑ３，Ｑ４）が存在している。
【００１１】
駐車場検索システム１は、保守員が、車両で店舗Ａを訪問する際に、周辺駐車場Ｑの中から、駐車できる可能性が高い駐車場を検索するシステムである。
【００１２】
（駐車場検索システムの概略構成の説明）
以下、添付図面を参照して、本願発明の実施形態について説明する。まず、本発明の実施形態である駐車場検索システム１について、図面を用いて説明する。図２は、駐車場検索システム１のシステム構成の一例を示すシステム構成図である。駐車場検索システム１は、例えば、前述したように、保守員が設備の保守のため店舗を訪問する際に、店舗の近隣で駐車場を検索するシステムである。
【００１３】
駐車場検索システム１は、サーバ装置１０と、各保守員が所持する携帯端末１２（１２ａ、１２ｂ、１２ｃ、…）とを備える。
【００１４】
サーバ装置１０は、駐車場検索システム１の全体の動作を制御する。具体的には、サーバ装置１０は、携帯端末１２を所持する保守員が訪問先の周辺駐車場Ｑを検索する際に、検索に必要な情報の入力を受け付けるとともに、保守員の現在位置と、現在時刻とを取得する。また、サーバ装置１０は、複数の訪問者について、少なくとも、日時と、訪問先と、周辺駐車場の位置と、駐車可否と、駐車可否の確認時刻又は駐車時刻とを蓄積する。また、サーバ装置１０は、保守員の訪問先への到着予想時刻を予測するとともに、蓄積した情報の中から、到着予想時刻と略等しい時刻における駐車実績のある周辺駐車場を検索する。さらに、サーバ装置１０は、携帯端末１２と無線通信１４による通信を行って、各種データや各種ファイル等の送受信を行う。なお、サーバ装置１０は、駐車場検索装置の一例である。
【００１５】
携帯端末１２（１２ａ、１２ｂ、１２ｃ、…）は、各保守員が保持する、例えばスマートフォンやタブレット端末などの通信機能を備えた端末装置である。携帯端末１２は、携帯端末を所持している保守員の駐車履歴を示す駐車ログファイルＦ１１（図７）を作成する。また、携帯端末１２は、サーバ装置１０が検索した、訪問先の周辺駐車場Ｑの候補を表示する。そして、保守員が選択した周辺駐車場Ｑまでの経路を設定するとともに、経路誘導を行う。さらに、携帯端末１２は、サーバ装置１０と無線通信１４による通信を行って、各種データや各種ファイル等の送受信を行う。
【００１６】
（サーバ装置のハードウェア構成の説明）
サーバ装置１０のハードウェア構成について説明する。図３は、サーバ装置１０のハードウェア構成の一例を示すブロック図である。サーバ装置１０は、各部を制御するための制御部２０を備える。制御部２０は、ＣＰＵ（Central  Processing  Unit）２０ａと、ＲＯＭ（Read  Only  Memory）２０ｂと、ＲＡＭ（Random  Access  Memory）２０ｃと、を備える。ＣＰＵ２０ａは、バスライン２１を介して、ＲＯＭ２０ｂと、ＲＡＭ２０ｃと接続する。ＣＰＵ２０ａは、ＲＯＭ２０ｂや記憶部２２に記憶された各種プログラムを、ＲＡＭ２０ｃに展開する。ＣＰＵ２０ａは、ＲＡＭ２０ｃに展開された各種プログラムに従って動作することでサーバ装置１０を制御する。すなわち、制御部２０は、一般的なコンピュータの構成を有する。
【００１７】
制御部２０は、更に、バスライン２１を介して、記憶部２２と、コントローラ２４と、通信インタフェース２６と接続する。
【００１８】
記憶部２２は、電源を切っても記憶情報が保持されるフラッシュメモリ等の不揮発性メモリ、又はＨＤＤ（Hard  Disk  Drive）等である。記憶部２２は、制御プログラムＰ１を含むプログラム等を記憶する。制御プログラムＰ１は、サーバ装置１０が備える機能を発揮させるためのプログラムである。また、記憶部２２は、駐車履歴ファイルＦ１と、地図データベースＦ２とを記憶する。
【００１９】
駐車履歴ファイルＦ１は、複数の保守員が、駐車を行った際に入力した情報、及び各保守員の携帯端末１２が取得した情報を記憶したファイルである。駐車履歴ファイルＦ１は、携帯端末１２が作成した駐車ログファイルＦ１１（図４）に基づいて作成される。詳しくは後述する（図８）。
【００２０】
地図データベースＦ２は、道路地図及び駐車場などの施設情報を記憶したデータベースである。地図データベースＦ２は、サーバ装置１０が、保守員の訪問先の周辺駐車場Ｑの検索を行う際に使用される。
【００２１】
コントローラ２４は、ディスプレイ２４ａと、キーボード２４ｂと接続する。コントローラ２４は、制御部２０からの指令に基づいて、接続された各種ハードウェアを制御する。
【００２２】
ディスプレイ２４ａは、サーバ装置１０が出力した画像情報やテキスト情報などを表示する。ディスプレイ２４ａは、例えば液晶モニタや有機ＥＬモニタなどである。
【００２３】
キーボード２４ｂは、サーバ装置１０に各種処理を行わせる際に、サーバ装置１０に対して、必要な情報の入力や操作指示を与える。なお、キーボード２４ｂの代わりに、ディスプレイ２４ａの画面に積層したタッチパネルを使用してもよい。また、キーボード２４ｂとタッチパネルとを併用してもよい。
【００２４】
通信インタフェース２６は、無線ＬＡＮ等の無線通信を介して、携帯端末１２と通信するためのインタフェースである。
【００２５】
（携帯端末のハードウェア構成の説明）
次に、携帯端末１２（１２ａ、１２ｂ、１２ｃ、…）のハードウェア構成について説明する。図４は、携帯端末１２ａのハードウェア構成の一例を示すハードウェアブロック図である。なお、全ての携帯端末１２は同じハードウェア構成を備えているため、以下の説明は、全て携帯端末１２ａについて説明する。
【００２６】
携帯端末１２ａは、各部を制御するための制御部３０を備える。制御部３０は、ＣＰＵ３０ａと、ＲＯＭ３０ｂと、ＲＡＭ３０ｃとを備える。ＣＰＵ３０ａは、バスライン３１を介して、ＲＯＭ３０ｂと、ＲＡＭ３０ｃと接続する。ＣＰＵ３０ａは、ＲＯＭ３０ｂや記憶部３２に記憶された各種プログラムを、ＲＡＭ３０ｃに展開する。ＣＰＵ３０ａは、ＲＡＭ３０ｃに展開された各種プログラムに従って動作することで携帯端末１２ａを制御する。すなわち、制御部３０は、一般的なコンピュータの構成を有する。
【００２７】
制御部３０は、更に、バスライン３１を介して、記憶部３２と、コントローラ３４と、通信インタフェース３６と接続する。
【００２８】
記憶部３２は、電源を切っても記憶情報が保持されるフラッシュメモリ等の不揮発性メモリである。記憶部３２は、制御プログラムＰ２を含むプログラム等を記憶する。制御プログラムＰ２は、携帯端末１２ａが備える機能を発揮させるためのプログラムである。また、記憶部３２は、駐車ログファイルＦ１１と、地図データベースＦ１２とを記憶する。
【００２９】
駐車ログファイルＦ１１は、携帯端末１２ａを所持する保守員が、駐車を行った際に入力、あるいは携帯端末１２ａが取得した情報を記憶したファイルである。詳しくは後述する（図７）。
【００３０】
地図データベースＦ１２は、道路地図及び駐車場などの施設情報を記憶したデータベースである。地図データベースＦ１２は、現在位置から設定された周辺駐車場Ｑまでの経路を設定する際に使用される。また、地図データベースＦ１２は、設定された周辺駐車場Ｑまでの経路誘導を行う際に、案内に必要な情報を提供するために使用される。なお、地図データベースＦ１２は、前述した地図データベースＦ２と同じデータベースである。したがって、携帯端末１２ａは、地図データベースが必要な際に、サーバ装置１０が備える地図データベースＦ２から、必要な情報のみを読み出す構成としてもよい。
【００３１】
コントローラ３４は、ディスプレイ３４ａと、タッチパネル３４ｂと、ＧＰＳアンテナ３４ｃと接続する。コントローラ３４は、制御部３０からの指令に基づいて、接続された各種ハードウェアを制御する。
【００３２】
ディスプレイ３４ａは、携帯端末１２ａが出力した画像情報やテキスト情報などを表示する。ディスプレイ３４ａは、例えば液晶モニタや有機ＥＬモニタなどである。
【００３３】
タッチパネル３４ｂは、携帯端末１２ａに各種処理を行わせる際に、携帯端末１２ａに対して、必要な情報の入力や操作指示を与える。
【００３４】
ＧＰＳアンテナ３４ｃは、非図示の複数のＧＰＳ衛星からの電波（ＧＰＳ信号）を受信して、携帯端末１２ａの現在位置を測位する。
【００３５】
通信インタフェース３６は、無線ＬＡＮ等の無線通信を介して、サーバ装置１０と通信するためのインタフェースである。
【００３６】
（サーバ装置の機能構成の説明）
図５は、サーバ装置１０の機能構成の一例を示す機能ブロック図である。サーバ装置１０の制御部２０は、制御プログラムＰ１（図３）をＲＡＭ２０ｃに展開して動作させることによって、図５に示す入力受付部２００と、情報取得部２０１と、情報蓄積部２０２と、到着時刻予測部２０３と、駐車場検索部２０４と、表示制御部２０５と、操作制御部２０６と、通信制御部２０７とを機能部として実現する。
【００３７】
入力受付部２００は、保守員の訪問先と、訪問先の周辺駐車場Ｑに係る情報及び駐車実績に係る情報との入力を受け付ける。本実施形態の例では、入力受付部２００は、携帯端末１２ａの、後述する情報入力部３００を介して、各種情報の入力を受け付ける。なお、入力受付部２００は、入力受付手段の一例である。また、保守員は訪問者の一例である。
【００３８】
また、入力受付部２００は、周辺駐車場Ｑに係る情報及び駐車実績に係る情報として、少なくとも、周辺駐車場Ｑを特定する情報と、周辺駐車場Ｑへの駐車可否を示す情報と、周辺駐車場Ｑに駐車できた場合の入庫時刻と、周辺駐車場Ｑに駐車できなかった場合の確認時刻と、の入力を受け付ける。
【００３９】
情報取得部２０１は、訪問先を訪問した年月日と、保守員の現在位置と、現在時刻とを取得する。本実施形態の例では、情報取得部２０１は、携帯端末１２ａの、後述する情報取得部３０１を介して、各種情報を取得する。なお、情報取得部２０１は、取得手段の一例である。
【００４０】
情報蓄積部２０２は、複数の保守員について、少なくとも、各保守員の訪問先と、訪問時に駐車した又は駐車を試みた訪問先の周辺駐車場Ｑに係る情報と、駐車実績に係る情報とを関連付けて蓄積する。なお、情報蓄積部２０２は、蓄積手段の一例である。
【００４１】
また、情報蓄積部２０２は、訪問先の周辺駐車場Ｑに係る情報として、少なくとも、訪問先への訪問時に、駐車した又は駐車を試みた周辺駐車場の位置を蓄積する。また、情報蓄積部２０２は、駐車実績に係る情報として、少なくとも、訪問先を訪問した年月日と、周辺駐車場Ｑへの駐車可否と、駐車可否の確認時刻又は入庫時刻とを蓄積する。
【００４２】
到着時刻予測部２０３は、訪問先の位置と、保守員の現在位置と、現在時刻と、保守員の移動手段とから、訪問先への到着予想時刻を予測する。なお、到着時刻予測部２０３は、予測手段の一例である。
【００４３】
駐車場検索部２０４は、情報蓄積部２０２が蓄積した情報の中から、到着予想時刻と略等しい時刻における、駐車実績のある訪問先の周辺駐車場Ｑを検索する。なお、駐車場検索部２０４は、検索手段の一例である。
【００４４】
また、駐車場検索部２０４は、付帯条件を付与して、周辺駐車場Ｑを検索する。なお、付帯条件は、例えば、訪問先から周辺駐車場Ｑまでの距離が最も近いことである。また、付帯条件は、例えば、周辺駐車場Ｑが屋根を有することである。
【００４５】
表示制御部２０５は、ディスプレイ２４ａに表示する表示情報を生成する。また、表示制御部２０５は、生成した表示情報をディスプレイ２４ａに表示する。
【００４６】
操作制御部２０６は、キーボード２４ｂに対する操作情報を受け取って、制御部２０に受け渡す。そして、操作制御部２０６は、制御部２０に、キーボード２４ｂの操作に対応した処理を行わせる。
【００４７】
通信制御部２０７は、携帯端末１２ａとの間で情報のやり取りを行う際の無線通信を制御する。具体的には、通信制御部２０７は、携帯端末１２ａから、訪問先とＧＰＳ情報と、駐車ログファイルＦ１１（図７）とを受信する。また、通信制御部２０７は、携帯端末１２ａに対して、周辺駐車場Ｑの検索結果を送信する。
【００４８】
（携帯端末の機能構成の説明）
次に、携帯端末１２ａの機能構成について、図６を用いて説明する。図６は、携帯端末１２ａの機能構成の一例を示す機能ブロック図である。
【００４９】
携帯端末１２ａの制御部３０は、制御プログラムＰ２（図４）をＲＡＭ３０ｃに展開して動作させることによって、図６に示す情報入力部３００と、情報取得部３０１と、経路設定部３０２と、経路誘導部３０３と、表示制御部３０４と、操作制御部３０５と、通信制御部３０６とを機能部として実現する。
【００５０】
情報入力部３００は、保守員の訪問先と、当該訪問先の周辺駐車場Ｑに係る情報との入力を受け付ける。なお、訪問先の周辺駐車場Ｑに係る情報は、少なくとも、周辺駐車場Ｑへの駐車可否を示す情報である。
【００５１】
情報取得部３０１は、訪問先を訪問した年月日と、訪問者の現在位置と、現在時刻とを取得する。
【００５２】
経路設定部３０２は、地図データベースＦ１２を利用して、現在位置から、選択された周辺駐車場Ｑまでの最適な経路（例えば最短経路）を探索する。なお、経路探索は、例えば、カーナビゲーションシステムにおいて広く活用されているため、具体的な経路探索方法の説明は省略する。
【００５３】
経路誘導部３０３は、経路設定部３０２が設定した経路に基づく経路誘導情報を出力する。具体的には、経路誘導部３０３は、携帯端末１２ａの現在位置と、経路設定部３０２が設定した経路とを比較することによって、現在位置に応じた誘導情報（例えば、前方の交差点の進行方向など）を、ディスプレイ３４ａに表示する。なお、具体的な経路誘導の方法は、例えば、カーナビゲーションシステムにおいて用いられている経路誘導の方法を用いればよい。具体的な経路誘導方法の説明は省略する。
【００５４】
表示制御部３０４は、ディスプレイ３４ａに表示する表示情報を生成する。また、表示制御部３０４は、生成した表示情報をディスプレイ３４ａに表示する。
【００５５】
操作制御部３０５は、タッチパネル３４ｂに対する操作情報を受け取って、制御部３０に受け渡す。そして、操作制御部３０５は、制御部３０に、タッチパネル３４ｂの操作に対応した処理を行わせる。
【００５６】
通信制御部３０６は、サーバ装置１０との間で情報のやり取りを行う際の無線通信を制御する。具体的には、通信制御部３０６は、サーバ装置１０に対して、訪問先とＧＰＳ情報と、駐車ログファイルＦ１１（図７）とを送信する。また、通信制御部２０７は、サーバ装置１０から、周辺駐車場Ｑの検索結果を受信する。
【００５７】
（駐車ログファイルの説明）
図７は、駐車ログファイルＦ１１の一例を示す図である。駐車ログファイルＦ１１は、携帯端末１２ａを所持している保守員の、訪問先４０と、年月日４１と、曜日４２と、駐車場位置４３と、駐車実績４４と、入庫時刻（または確認時刻）４５と、出庫時刻４６と、天気４７と、屋根の有無４８とを蓄積して記憶する。その結果、駐車ログファイルＦ１１は、保守員の過去の駐車場の使用履歴である、ログＬ１，Ｌ２，Ｌ３，…を記憶する。
【００５８】
訪問先４０は、保守員が訪問した訪問先、例えば店舗Ａなどを特定する情報である。訪問先４０は、具体的には、例えば、記憶部３２に予め記憶しておいた店舗一覧を読み出して、その中から、情報入力部３００が、訪問する店舗の選択を受け付けることによって指定する。
【００５９】
年月日４１は、保守員が訪問先を訪問した年月日である。年月日４１は、保守員が周辺駐車場Ｑに到着した際に記録される。具体的には、後述する駐車実績４４を記録したタイミングで、情報取得部３０１がＣＰＵ３０ａから取得した年月日が記録される。
【００６０】
曜日４２は、保守員が訪問先を訪問した曜日である。曜日４２は、年月日４１を取得するのと同じタイミングで、情報取得部３０１がＣＰＵ３０ａから取得した曜日が記録される。
【００６１】
駐車場位置４３は、保守員が訪問時に使用した周辺駐車場Ｑの位置を特定する情報である。駐車場位置４３は、例えば、保守員が後述する駐車実績４４を記録したタイミングで、ＧＰＳアンテナ３４ｃが受信したＧＰＳ信号に基づいて算出される現在位置の緯度と経度とが記録される。
【００６２】
駐車実績４４は、訪問者である保守員が、周辺駐車場Ｑに駐車することができたか、或いは、満車等の理由によって駐車できなかったかを示す情報である。駐車実績４４は、例えば、保守員が、自身の携帯端末１２ａの駐車ログファイルＦ１１を開いて入力する。具体的には、操作制御部３０５によって制御されるＧＵＩ（Graphical  User  Interface）、例えば、駐車実績４４の該当する欄を押下したときに、駐車実績（駐車可、駐車不可）を選択させるプルダウンメニューを表示させるＧＵＩを実装して、情報入力部３００が、当該プルダウンメニューの中から選択された駐車実績を受け付けることによって記録される。
【００６３】
入庫時刻４５は、駐車場に入庫した時刻を特定する情報である。入庫時刻４５は、例えば、保守員が、自身の携帯端末１２ａの駐車ログファイルＦ１１を開いて入力する。具体的には、保守員が入庫時刻４５の該当する欄を押下したときに、情報取得部３０１がＣＰＵ３０ａから取得した現在時刻が、入庫時刻４５の該当する欄に記録される。
【００６４】
出庫時刻４６は、駐車場から出庫した時刻を特定する情報である。出庫時刻４６は、例えば、保守員が、自身の携帯端末１２ａの駐車ログファイルＦ１１を開いて入力する。具体的には、保守員が出庫時刻４６の該当する欄を押下したときに、情報取得部３０１がＣＰＵ３０ａから取得した現在時刻が、出庫時刻４６の該当する欄に記録される。
【００６５】
天気４７は、駐車場を利用した時点の天気を特定する情報である。天気４７は、例えば、保守員が、自身の携帯端末１２ａの駐車ログファイルＦ１１を開いて入力する。具体的には、操作制御部３０５によって制御されるＧＵＩ、例えば、天気４７の該当する欄を押下したときに、天気の種類を選択するプルダウンメニューを表示させるＧＵＩを実装して、情報入力部３００が、当該プルダウンメニューの中から選択された天気を受け付けることによって記録される。
【００６６】
屋根の有無４８は、利用した駐車場に屋根があるかを示す情報である。屋根の有無４８は、例えば、天気４７と同様に、保守員が屋根の有無４８の該当する欄を押下したときに、屋根の有無を選択するプルダウンメニューを表示させるＧＵＩを実装して、情報入力部３００が、当該プルダウンメニューの中から選択された屋根の有無を受け付けることによって記録される。
【００６７】
（駐車履歴ファイルの説明）
図８は、駐車履歴ファイルＦ１の一例を示す図である。駐車履歴ファイルＦ１は、保守員ＩＤ５０と、訪問先４０と、年月日４１と、曜日４２と、駐車場位置４３と、駐車実績４４と、入庫時刻（または確認時刻）４５と、出庫時刻４６と、天気４７と、屋根の有無４８とを関連付けて記憶する。その結果、駐車履歴ファイルＦ１は、複数の保守員の過去の駐車場の使用履歴である、履歴Ｈ１，Ｈ２，Ｈ３，Ｈ４，…を記憶する。
【００６８】
保守員ＩＤ５０は、保守員を一意に特定する、例えば識別番号などである。保守員ＩＤ５０は、具体的には、駐車ログファイルＦ１１に付帯情報として付与される。そして、サーバ装置１０が駐車ログファイルＦ１１を受信した際に、付帯された保守員ＩＤが読み取られて、駐車ログファイルＦ１１の保守員ＩＤ５０に記録される。
【００６９】
その他の情報は、前述した駐車ログファイルＦ１１が記憶する情報と同様であるため、説明は省略する。すなわち、駐車ログファイルＦ１１から読み出された情報が、駐車履歴ファイルＦ１の対応する欄に記録される。
【００７０】
（目標駐車場を設定する際に駐車場検索システムが行う処理の流れの説明）
図９は、駐車場検索システム１が行う一連の処理のうち、出発前に目標とする周辺駐車場Ｑを設定するまでの処理の流れの一例を示すフローチャートである。
【００７１】
まず、携帯端末１２ａが行う処理の流れを説明する。情報入力部３００は、訪問先の入力を受け付ける（ステップＳ１０）。具体的には、携帯端末１２ａのディスプレイ３４ａに、予め登録されている訪問先の一覧表を表示して、保守員が押下（選択）した訪問先を操作制御部３０５が読み取って、読み取った訪問先を、情報入力部３００が受け付ける。
【００７２】
情報取得部３０１は、ＧＰＳアンテナ３４ｃが受信したＧＰＳ信号を取得する（ステップＳ１１）。なお、情報取得部３０１は、ＧＰＳ信号の代わりに、ＧＰＳ信号に基づいて算出された、携帯端末１２ａの現在位置を示す緯度・経度を取得してもよい。
【００７３】
通信制御部３０６は、入力された訪問先と、取得したＧＰＳ信号とを、サーバ装置１０に送信する（ステップＳ１２）。
【００７４】
通信制御部３０６は、サーバ装置１０から、訪問先の周辺駐車場Ｑの検索結果を受信したかを判定する（ステップＳ１３）。検索結果を受信したと判定される（ステップＳ１３：Ｙｅｓ）と、ステップＳ１４に進む。一方、検索結果を受信したと判定されない（ステップＳ１３：Ｎｏ）と、ステップＳ１３を繰り返す。
【００７５】
表示制御部３０４は、受信した検索結果をディスプレイ３４ａに表示する（ステップＳ１４）。このとき、複数の周辺駐車場Ｑが検索された場合には、複数の検索結果が表示される。
【００７６】
操作制御部３０５は、目的地とする訪問先の周辺駐車場Ｑを選択させる（ステップＳ１５）。
【００７７】
経路設定部３０２は、携帯端末１２ａの現在位置から、ステップＳ１５で選択された周辺駐車場Ｑまでの経路を設定する経路設定処理を行う（ステップＳ１６）。なお、経路設定処理は、例えば、最短経路問題を効率的に解くダイクストラ法などの公知のアルゴリズムに基づいて行われる。これらのアルゴリズムは、カーナビゲーションシステムで広く利用されている公知の技術であるため、詳細な説明は省略する。
【００７８】
続いて、経路誘導部３０３は、携帯端末１２ａが移動した現在位置に応じて、ステップＳ１６で設定した経路に沿う経路誘導処理、すなわち、経路案内を行う（ステップＳ１７）。具体的な経路案内は、例えばカーナビゲーションシステムで広く利用されている、「次の交差点までの距離の報知」や「次の交差点の進行方向の報知」などを含む案内を行う。そして、選択した周辺駐車場Ｑに到着すると、携帯端末１２ａは、図９の処理を終了する。
【００７９】
次に、サーバ装置１０が行う処理の流れを説明する。まず、入力受付部２００は、携帯端末１２ａから、訪問先とＧＰＳ信号とを受信する（ステップＳ２０）。
【００８０】
そして、情報取得部２０１は、例えば、ＣＰＵ２０ａのタイマから、現在時刻を取得する（ステップＳ２１）。
【００８１】
到着時刻予測部２０３は、訪問先への到着予想時刻を算出する（ステップＳ２２）。具体的には、到着時刻予測部２０３は、地図データベースＦ２から取得した訪問先の位置と、携帯端末１２ａの現在位置と、現在時刻とから、現在位置と訪問先との距離を算出する。そして、到着時刻予測部２０３は、算出した距離を、保守員の移動手段に応じて予め決めておいた所定の速度（例えば、移動手段が車両の場合は平均時速２０ｋｍ等、移動手段が徒歩の場合は平均時速４ｋｍ等）で移動した際に要する移動時間を算出する。そして、算出した移動時間を現在時刻に加算することによって、到着予想時刻を算出する。
【００８２】
次に、駐車場検索部２０４は、記憶部２２から駐車履歴ファイルＦ１を読み出す（ステップＳ２３）。
【００８３】
そして、駐車場検索部２０４は、駐車履歴ファイルＦ１の中から、到着予想時刻と略等しい時刻における駐車実績のある周辺駐車場Ｑを検索する検索処理を行う（ステップＳ２４）。なお、検索処理の詳細な流れは後述する（図１１、図１２）。
【００８４】
駐車場検索部２０４は、検索処理によって検索された周辺駐車場Ｑの情報を、通信制御部２０７に対して、携帯端末１２ａに送信させる（ステップＳ２５）。その後、サーバ装置１０は、図９の処理を終了する。
【００８５】
（目標駐車場に到着した際に駐車場検索システムが行う処理の流れの説明）
図１０は、駐車場検索システム１が行う一連の処理のうち、目標とした周辺駐車場Ｑに到着した際に行う処理の流れの一例を示すフローチャートである。まず、携帯端末１２ａが行う処理の流れを説明する。
【００８６】
まず、情報入力部３００は、駐車ログファイルＦ１１を作成する駐車ログ作成アプリケーションを起動させる（ステップＳ３０）。
【００８７】
情報入力部３００は、駐車実績の入力を受け付ける（ステップＳ３１）。
【００８８】
情報取得部３０１は、ＣＰＵ３０ａから、年月日及び曜日の情報を取得する（ステップＳ３２）。
【００８９】
情報入力部３００は、駐車ログファイルＦ１１の駐車実績４４の欄への入力情報に基づいて、到着した周辺駐車場Ｑに駐車可能であるかを判定する（ステップＳ３３）。駐車可能であると判定される（ステップＳ３３：Ｙｅｓ）と、ステップＳ３４に進む。一方、駐車可能であると判定されない（ステップＳ３３：Ｎｏ）と、ステップＳ３７に進む。
【００９０】
ステップＳ３３において、到着した周辺駐車場Ｑに駐車可能であると判定されると、ステップＳ３４において、情報取得部３０１は、入庫時刻を取得する。具体的には、先述したように、入庫時刻４５の該当する欄の押下を検出したときに、ＣＰＵ３０ａから現在時刻を取得すればよい。なお、取得した現在時刻は、入庫時刻４５の該当する欄に記録される。
【００９１】
次に、情報入力部３００は、駐車ログファイルＦ１１の天気４７の欄、及び屋根の有無４８の欄に対する情報入力を受け付ける（ステップＳ３５）。天気４７及び屋根の有無４８は、先述したように、天気の種類又は屋根の有無を選択可能なＧＵＩによる選択操作に基づいて選択させればよい。
【００９２】
そして、情報取得部３０１は、保守員が作業を終えて、周辺駐車場Ｑから出庫する際に、出庫時刻を取得する（ステップＳ３６）。具体的には、先述したように、出庫時刻４６の該当する欄の押下を検出したときに、ＣＰＵ３０ａから現在時刻を取得すればよい。なお、取得した現在時刻は、出庫時刻４６の該当する欄に記録される。そして、その後、ステップＳ３９に進む。
【００９３】
一方、ステップＳ３３において、到着した周辺駐車場Ｑに駐車可能であると判定されないと、ステップＳ３７において、情報取得部３０１は、駐車できないことを確認した確認時刻を取得する。具体的には、入庫時刻（または確認時刻）４５の該当する欄の押下を検出したときに、ＣＰＵ３０ａから現在時刻を取得すればよい。取得した確認時刻は、入庫時刻４５の該当する欄に記録される。
【００９４】
続いて、情報取得部３０１は、駐車ログファイルＦ１１の天気４７の欄、及び屋根の有無４８の欄に対する情報入力を受け付ける（ステップＳ３８）。具体的には、ステップＳ３５で説明した通りである。
【００９５】
次に、情報入力部３００は、通信制御部３０６に対して、駐車ログファイルＦ１１を、サーバ装置１０に送信させる（ステップＳ３９）。その後、携帯端末１２ａは、図１０の処理を終了する。
【００９６】
次に、サーバ装置１０が行う処理の流れを説明する。まず、通信制御部２０７は、携帯端末１２ａから、駐車ログファイルＦ１１を受信したかを判定する（ステップＳ５０）。駐車ログファイルＦ１１を受信したと判定される（ステップＳ５０：Ｙｅｓ）と、ステップＳ５１に進む。一方、駐車ログファイルＦ１１を受信したと判定されない（ステップＳ５０：Ｎｏ）と、ステップＳ５０を繰り返す。
【００９７】
情報蓄積部２０２は、受信した駐車ログファイルＦ１１に基づいて、駐車履歴ファイルＦ１を更新する（ステップＳ５１）。具体的には、駐車ログファイルＦ１１に記録されたログＬ１，Ｌ２，Ｌ３，…の中から、駐車履歴ファイルＦ１に記録されている履歴Ｈ１，Ｈ２，Ｈ３，Ｈ４，…には含まれないログを追加登録する。また、その際に、駐車ログファイルＦ１１に付帯されている、保守員を特定する、例えば保守員ＩＤを、駐車履歴ファイルＦ１に追加記録する。サーバ装置１０は、ステップＳ５１の処理を行った後、図１０の処理を終了する。
【００９８】
（検索処理の流れの説明）
図１１は、検索処理の流れの一例を示すフローチャートである。駐車場検索部２０４は、まず、ステップＳ２２で読み出した駐車履歴ファイルＦ１の中から、過去に同じ訪問先を訪問した際に使用した、当該訪問先の周辺駐車場Ｑを選択する（ステップＳ６０）。具体的には、駐車場検索部２０４は、駐車履歴ファイルＦ１に記録されている履歴の中から、ステップＳ２０で受信した訪問先と同じ訪問先４０が記録されている履歴を抽出する。
【００９９】
そして、駐車場検索部２０４は、ステップＳ６０で選択した周辺駐車場Ｑの中から、ステップＳ２２で算出した到着予想時刻と近い時刻（例えば、到着予想時刻の前後３０分の範囲内）において、過去に駐車実績のある周辺駐車場Ｑを選択する（ステップＳ６２）。
【０１００】
次に、駐車場検索部２０４は、ステップＳ６２において、該当する周辺駐車場Ｑが選択されたかを判定する（ステップＳ６３）。該当する周辺駐車場Ｑが選択されたと判定される（ステップＳ６３：Ｙｅｓ）と、ステップＳ６４に進む。一方、該当する周辺駐車場Ｑが選択されたと判定されない（ステップＳ６３：Ｎｏ）と、ステップＳ６５に進む。
【０１０１】
ステップＳ６３において、該当する周辺駐車場Ｑが選択された場合、ステップＳ６４において、駐車場検索部２０４は、訪問先に最も近い周辺駐車場Ｑを選択する。そして、ステップＳ６４の処理を行った後、図９のステップＳ２５に進む。
【０１０２】
一方、ステップＳ６３において、該当する周辺駐車場Ｑが選択されない場合、ステップＳ６５において、駐車場検索部２０４は、駐車履歴ファイルＦ１に記録されている履歴の中から、ステップＳ２２で算出した到着予想時刻と近い時刻において使用実績のない周辺駐車場Ｑと、地図データベースＦ２に登録された、訪問先の近隣の駐車場の中から、駐車履歴ファイルＦ１に記録されていない周辺駐車場Ｑとを検索する。すなわち、過去、到着予想時刻と近い時刻に使用実績がない周辺駐車場Ｑを検索する。そして、その後、前記したステップＳ６４に進む。
【０１０３】
このように、駐車場検索部２０４は、周辺駐車場Ｑを検索する際に、付帯条件を付けて検索を行うことができる。図１１は、訪問先から最も近い周辺駐車場Ｑを検索した例である。
【０１０４】
なお、駐車場検索部２０４は、周辺駐車場Ｑを検索する際に、駐車実績４４を利用してもよい。すなわち、駐車実績４４は、周辺駐車場Ｑに駐車できなかったという履歴も保持しているため、到着予想時刻と近い時刻において使用実績のある周辺駐車場Ｑについて、「駐車できた確率」（＝駐車できた回数／駐車を試みた回数）を算出することができる。したがって、例えば、使用実績のある周辺駐車場Ｑが複数検索された場合に、「駐車できた確率」が高い周辺駐車場Ｑから優先的に選択させることができる。
【０１０５】
（別の付帯条件が設定された場合の検索処理の流れの説明）
図１２は、別の付帯条件が設定された場合の検索処理の流れの一例を示すフローチャートである。特に、図１２は、降雨時などの悪天候時に、持参した機材等の出し入れを安心して行うために、屋根付きの周辺駐車場Ｑを検索する例である。
【０１０６】
検索時の付帯条件は、サーバ装置１０が検索処理を行う前に、携帯端末１２ａからサーバ装置１０に送信する。例えば、図９のフローチャートにおいて、ステップＳ１２の処理を行う際に、訪問先及びＧＰＳ情報とともに、検索時の付帯条件を送信すればよい。その際、予め用意しておいた付帯条件を、表示制御部３０４が携帯端末１２ａのディスプレイ３４ａに表示させて、保守員が選択した付帯条件を、操作制御部３０５が検出すればよい。
【０１０７】
図１２の処理の流れは、先述した図１１の処理の流れとほぼ同じである。すなわち、図１２におけるステップＳ７０，Ｓ７２，Ｓ７３の各処理は、図１１におけるステップＳ６０，Ｓ６２，Ｓ６３の各処理と同じである。
【０１０８】
図１２において、駐車場検索部２０４は、ステップＳ７３において、到着予想時刻と近い時刻に駐車実績のある周辺駐車場Ｑが選択された場合、ステップＳ７４において、駐車場検索部２０４は、さらに、選択された周辺駐車場Ｑの中に、屋根のある周辺駐車場Ｑがあるかを判定する。そして、屋根のある周辺駐車場Ｑがあると判定される（ステップＳ７４：Ｙｅｓ）と、ステップＳ７５に進む。一方、屋根のある周辺駐車場Ｑがあると判定されない（ステップＳ７４：Ｎｏ）と、ステップＳ７６に進む。なお、選択された周辺駐車場Ｑの中に、屋根のある周辺駐車場Ｑがあるかの判定は、駐車履歴ファイルＦ１の屋根の有無４８に、「屋根有」と記録されているかによって行えばよい。また、設定された検索時の付帯条件に応じて、ステップＳ７４で行う判定内容が変更される。
【０１０９】
ステップＳ７４において、屋根付きの周辺駐車場Ｑが選択された場合、ステップＳ７５において、駐車場検索部２０４は、訪問先に最も近い、屋根付きの周辺駐車場Ｑを選択する。そして、ステップＳ７５の処理を行った後、図９のステップＳ２５に進む。
【０１１０】
一方、ステップＳ７４において、屋根付きの周辺駐車場Ｑが選択されなかった場合、ステップＳ７６において、駐車場検索部２０４は、駐車履歴ファイルＦ１に記録されている履歴の中から、ステップＳ２２で算出した到着予想時刻と近い時刻において使用実績のない周辺駐車場Ｑと、地図データベースＦ２に登録された、訪問先の近隣の駐車場の中から、駐車履歴ファイルＦ１に記録されていない周辺駐車場Ｑとを検索する。すなわち、過去、到着予想時刻と近い時刻に使用実績がない周辺駐車場Ｑを検索する。すなわち。屋根付きの周辺駐車場Ｑが選択されなかった場合は、屋根のない周辺駐車場Ｑ、又は屋根の有無が不明な周辺駐車場Ｑを検索する。なお、地図データベースＦ２が、付帯情報として、駐車場の屋根の有無を記憶している場合には、当該付帯情報に基づいて、訪問先の周辺駐車場Ｑを検索してもよい。
【０１１１】
そして、駐車場検索部２０４は、屋根の有無は不明という条件付きで、ステップＳ７６における周辺駐車場Ｑの検索結果を選択する。そして、ステップＳ７６の処理を行った後、図９のステップＳ２５に進む。
【０１１２】
なお、検索処理を行う際に使用する付帯条件は、「訪問先から最も近い」、「屋根付き駐車場である」、「駐車料金が最も安い」などである。また、付帯条件として、駐車履歴ファイルＦ１に蓄積された情報を用いてもよい。
【０１１３】
例えば、天気によって周辺駐車場Ｑの使われ方に差が生じる可能性があるため、天気４７に記録された情報を利用して、晴れの日限定、雨の日限定などの付帯条件を付与して検索を行わせてもよい。
【０１１４】
また、曜日によって周辺駐車場Ｑの使われ方に差が生じる可能性があるため、曜日４２に記録された情報を利用して、月曜日限定で検索を行うなどの付帯条件を付与して検索を行わせてもよい。
【０１１５】
さらに、出庫時刻４６を指定することによって、周辺駐車場Ｑを検索してもよい。すなわち、訪問先で行う業務に要する時間が予めわかっており、なおかつ、その次の訪問先を訪問する予定がある場合には、遅刻を避けるために、最初の訪問先での業務終了後に周辺駐車場Ｑから出庫する時刻を指定することによって、最初の訪問先で使用する周辺駐車場Ｑを検索してもよい。この場合、駐車履歴ファイルＦ１に蓄積された出庫時刻４６を参照することによって、指定された出庫時刻に出庫実績のある周辺駐車場Ｑが検索される。
【０１１６】
以上説明したように、本実施形態のサーバ装置１０（駐車場検索装置）は、入力受付部２００（入力受付手段）が、訪問先と、訪問先の周辺駐車場Ｑに係る情報と、駐車実績に係る情報との入力を受け付けて、情報取得部２０１（取得手段）が、訪問先を訪問した年月日と、保守員の現在位置と、現在時刻とを取得する。情報蓄積部２０２（蓄積手段）は、複数の保守員について、少なくとも、各保守員の訪問先と、訪問時に駐車した又は駐車を試みた訪問先の周辺駐車場Ｑに係る情報と、駐車実績に係る情報とを関連付けて蓄積する。そして、到着時刻予測部２０３（予測手段）が、訪問先の位置と、保守員の現在位置と、現在時刻と、保守員の移動手段とから、訪問先への到着予想時刻を予測するとともに、駐車場検索部２０４（検索手段）が、情報蓄積部２０２が蓄積した情報の中から、到着予想時刻と略等しい時刻における、駐車実績のある訪問先の周辺駐車場Ｑを検索する。したがって、訪問先の周辺の駐車できる可能性が高い周辺駐車場を、容易に検索することができる。特に、同じ訪問先を訪問した複数の保守員の駐車実績を用いるため、当該訪問先を初めて訪問する保守員であっても、駐車できる可能性が高い周辺駐車場を検索することができる。
【０１１７】
また、本実施形態のサーバ装置１０（駐車場検索装置）において、情報蓄積部２０２（蓄積手段）は、訪問先の周辺駐車場Ｑに係る情報として、少なくとも、訪問先への訪問時に、駐車した又は駐車を試みた周辺駐車場Ｑの位置を蓄積して、駐車実績に係る情報として、少なくとも、訪問先を訪問した年月日と、周辺駐車場Ｑへの駐車可否と、駐車可否の確認時刻又は入庫時刻とを蓄積する。したがって、駐車することができた履歴とともに、駐車することができなかった履歴も蓄積することができる。これによって、「駐車できた確率」を考慮して周辺駐車場Ｑを検索することができる。
【０１１８】
また、本実施形態のサーバ装置１０（駐車場検索装置）において、入力受付部２００（入力受付手段）は、周辺駐車場Ｑに係る情報及び駐車実績に係る情報として、少なくとも、周辺駐車場Ｑを特定する情報と、周辺駐車場Ｑへの駐車可否を示す情報との入力を受け付ける。これらの情報は、いずれも、選択肢からの選択によって入力することができるため、必要な情報を容易に入力させることができる。
【０１１９】
また、本実施形態のサーバ装置１０（駐車場検索装置）において、駐車場検索部２０４（検索手段）は、付帯条件を付与して、周辺駐車場Ｑを検索する。したがって、訪問の目的や持参する機材の量などに応じて、適切な駐車場を検索することができる。
【０１２０】
また、本実施形態のサーバ装置１０（駐車場検索装置）において、付帯条件は、訪問先から周辺駐車場Ｑまでの距離が最も近いことである。したがって、訪問先へのアクセス性が高い駐車場を検索することができる。
【０１２１】
また、本実施形態のサーバ装置１０（駐車場検索装置）において、付帯条件は、周辺駐車場Ｑが屋根を有することである。したがって、悪天候時や持参する機材が多いときなどに、適切な駐車場を検索することができる。
【０１２２】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２３】
１        駐車場検索システム
１０      サーバ装置（駐車場検索装置）
１２（１２ａ，１２ｂ，１２ｃ，…）  携帯端末
２００    入力受付部（入力受付手段）
２０１    情報取得部（取得手段）
２０２    情報蓄積部（蓄積手段）
２０３    到着時刻予測部（予測手段）
２０４    駐車場検索部（検索手段）
Ｑ（Ｑ１，Ｑ２，Ｑ３，Ｑ４）        周辺駐車場（一般駐車場）
Ａ１      店舗駐車場
Ｆ１      駐車履歴ファイル
Ｆ１１    駐車ログファイル
【先行技術文献】
【特許文献】
【０１２４】
【特許文献１】特開２００７−２５５９２０号公報
【図１】
2020085672.tif 000003
【図２】
2020085672.tif 000004
【図３】
2020085672.tif 000005
【図４】
2020085672.tif 000006
【図５】
2020085672.tif 000007
【図６】
2020085672.tif 000008
【図７】
2020085672.tif 000009
【図８】
2020085672.tif 000010
【図９】
2020085672.tif 000011
【図１０】
2020085672.tif 000012
【図１１】
2020085672.tif 000013
【図１２】
2020085672.tif 000014